(57)【特許請求の範囲】
【請求項１】
机等における高さ調節可能な天板の下方に収容して使用される物品収納用袖箱であって、引出し等を装着した箱状のキャビネット本体の上面に、底板の周囲に枠板が固着された上面が開放するトレイ状をなす補助収納箱を、着脱可能として取付けたことを特徴とする物品収納用袖箱。
【請求項２】
補助収納箱を、その後部の枠板である背板を水平として底板とし、かつ底板を起立させて背板として使用しうるように、向きを変えて天板上に自立させて載置しうるようにした請求項１記載の物品収納用袖箱。
【請求項３】
補助収納箱の底板と、後部の枠板である背板とに仕切部材装着用の取付孔をそれぞれ設け、内部を左右方向に仕切る仕切り部材を、前記取付孔に選択的に着脱しうるようにした請求項１または２記載の物品収納用袖箱。
【請求項４】
キャビネット本体の下面に複数のキャスタを設けた請求項１〜３のいずれかに記載の物品収納用袖箱。
【請求項５】
請求項１〜４のいずれかに記載の物品収納用袖箱を備える机であって、天板の高さ調節の下限位置を、天板の下方にキャビネット本体のみを収容できる高さとし、かつ上限位置を、天板の下方に、補助収納箱を装着した物品収納用袖箱を収容できる高さ以上とし、さらに、下限位置まで下げたときの天板の上方に、補助収納箱の前後方向の寸法より大きい間隔をもって棚板を設けたことを特徴とする物品収納用袖箱を備える机。
【発明の詳細な説明】
【０００１】
【発明の属する技術分野】
本発明は、例えば天板の高さが調節可能な机の天板下に収めて使用される物品収納用袖箱及びそれを備える机に関する。
【０００２】
【従来の技術】
学習机など、子供の成長に合わせて天板の高さを調節しうるようになっている机において、天板の下方に収めて使用される従来の袖箱は、その上下寸法が、天板を最下位まで下げた際でも天板下に収められるように、最下限位置とした天板の高さよりも小さく設定されているのが一般的である。
【０００３】
【発明が解決しようとする課題】
そのため、天板の高さを高くすると、その下面と袖箱との間にデッドスペースが生じ、その空間を有効に使用できないだけでなく、袖箱の物品収納量が減る。
本発明は、上記問題点に鑑みてなされたもので、天板の下方の空間を有効に利用して十分な収納量を確保しうるようにした、物品収納用袖箱及びそれを備える机を提供することを目的としている。
【０００４】
【課題を解決するための手段】
本発明によると、上記課題は、次のようにして解決される。
(１)机等における高さ調節可能な天板の下方に収容して使用される物品収納用袖箱であって、引出し等を装着した箱状のキャビネット本体の上面に、底板の周囲に枠板が固着された上面が開放するトレイ状をなす補助収納箱を、着脱可能として取付ける。
【０００５】
(２)上記(１)項において、補助収納箱を、その後部の枠板である背板を水平として底板とし、かつ底板を起立させて背板として使用しうるように、向きを変えて天板上に自立させて載置しうるようにする。
【０００６】
(３)上記(１)または(２)項において、補助収納箱の底板と、後部の枠板である背板とに仕切部材装着用の取付孔をそれぞれ設け、内部を左右方向に仕切る仕切り部材を、前記取付孔に選択的に着脱しうるようにする。
【０００７】
(４)上記(１)〜(３)項のいずれかにおいて、キャビネット本体の下面に複数のキャスタを設ける。
【０００８】
(５)上記(１)〜(４)項のいずれかの物品収納用袖箱を備える机において、天板の高さ調節の下限位置を、天板の下方にキャビネット本体のみを収容できる高さとし、かつ上限位置を、天板の下方に、補助収納箱を装着した物品収納用袖箱を収容できる高さ以上とし、さらに、下限位置まで下げたときの天板の上方に、補助収納箱の前後方向の寸法より大きい間隔をもって棚板を設ける。
【０００９】
【発明の実施の形態】
以下、本発明の実施形態を、図１〜図３を参照して説明する。
図１は、本発明の袖箱(１)を示すもので、前方に引き出し可能な引出し(２)を備える方形箱状のキャビネット本体(３)と、その上面板(４)に着脱可能として取付けられ、上記上面板(４)の前後左右寸法とほぼ等寸とした底板(５)の周縁に、前板(6a)、両側板(6b)、背板(6c)からなる枠板(６)を固着してなる上面が開放されたトレイ状の補助収納箱(７)とよりなっている。
【００１０】
キャビネット本体(３)は、その下面に取付けられた複数個のキャスタ(８)により、床面を自在に移動させうるようになっている。
【００１１】
補助収納箱(７)をキャビネット本体(３)に取付けるには、キャビネット本体(３)の上面板(４)に下方より挿通した複数個（実施形態では３個）のボルト(９)の上端部を、補助収納箱(７)の底板(５)の下面に穿設した有底のめねじ孔（図示略）に螺合する。これにより、補助収納箱(７)は、キャビネット本体(３)の上面に取外し可能に取付けられている。
【００１２】
補助収納箱(７)の底板(５)には、側面視下向きＵ字形の２個の仕切杆(10)(10)の下端部が、ねじ等により取外し可能に取付けられている。
【００１３】
枠板(６)における上下寸法を若干大とした背板(6c)には、上記両仕切杆(10)を付け替えるための取付孔(11)が穿設されている。
【００１４】
図２及び図３は、上記袖箱(１)の使用例を示すもので、天板(12)の高さが、袖箱(１)の上下寸法を超える上限位置から、キャビネット本体(３)のみの上下寸法よりも若干高位となる下限位置までの間を調節しうる学習机(13)に適用した例を示している。なお、学習机(13)の棚板(14)は、天板(12)を下限まで下げたとき、その上面と棚板(14)の下面との間に、補助収納箱(７)の前後方向の寸法よりも大きい間隔が形成される位置に取付けられている。
【００１５】
図２に示すように、天板(13)の高さを上限位置付近まで高くした際には、天板(12)と床面との間に大きな空間が形成されるため、キャビネット本体(３)の上面に補助収納箱(７)を取付けた状態で、天板(12)の下方に収めることができる。
【００１６】
従って、天板(12)の下方の空間が有効に使用され、かつキャビネット本体(３)と、補助収納箱(７)との両方に、ファイル等の物品を収納しうるため、十分な収納量が確保される。
【００１７】
図３に示すように、天板(12)を下限位置まで下げ、その下方の空間が小さくなった際には、補助収納箱(７)を取外し、キャビネット本体(３)のみを天板(12)の下方に収めて使用することができる。
【００１８】
取外した補助収納箱(７)は、背板(6c)が底板に、かつ底板(５)が背板となるように向きを変えて、棚板(14)の下方の天板(12)上に載置し、本立て等として使用することができる。本立てとして使用する際には、仕切杆(10)は、背板(6c)に形成しておいた取付孔(11)に付け換えるのがよい。
【００１９】
このように、上記実施形態の袖箱(１)は、キャビネット本体(３)と補助収納箱(７)とが分離可能となっているため、天板(12)の高さが調節可能な机(13)でも支障なく使用することができる。
【００２０】
しかも、天板(12)を高くした際には、キャビネット本体(３)と補助収納箱(７)との両方を使用でき、また天板(12)を低くしても、天板下にキャビネット本体(３)のみを収め、取外した補助収納箱(７)は天板(12)上に載置して本立て用として使用しうるので、天板(12)の高さに関係なく十分な収納量を確保することができる。
【００２１】
なお、上記実施形態では、キャビネット本体(３)は引出し(２)を備えるものとしたが、引出し(２)の代わりに開閉扉とし、かつキャビネット本体(３)内には棚板等を設けるなどしてもよい。
【００２２】
【発明の効果】
請求項１記載の発明によれば、天板を上げた際には、キャビネット本体に補助収納箱を取付けた状態で天板下に収容しうるので、天板の下方に大きなデッドスペースが形成されることはなく、十分な収納量を確保しうる。
また、天板を下げても、キャビネット本体のみを天板下に収容することができ、取外した補助収納箱は天板上に載置して物品の収納に供することができるので、収納量が減ることもない。
さらに、補助収納箱は、底板の周囲に枠板が固着された上面が開放するトレイ状をなしているので、物品の出し入れが容易となる。
【００２３】
請求項２記載の発明によれば、キャビネット本体より取外して天板上に載置した補助収納箱を、本立て等として有効に利用することができる。
【００２４】
請求項３記載の発明によれば、仕切り部材を底板と背板の取付孔とに選択的に付け替えることにより、補助収納箱を正規の状態で使用したり、天板上において本立てとして使用したりする際でも、ファイルや本等の倒れを防止することができる。
【００２５】
請求項４記載の発明によれば、物品が収納された重量のあるキャビネット本体又は補助収納箱が取付けられた袖箱を容易に移動することができる。
【００２６】
請求項５記載の発明によれば、天板を下限位置としても、その下方にキャビネット本体のみを収容することができるとともに、天板を上限位置とした際には、補助収納箱を取付けた袖箱を天板下に収容しうるので、天板の下方に袖箱が収納不能となることはなく、物品の収納量が減ることもない。
また、天板を下限位置とした際に、取外した補助収納箱を棚板の下方の天板上に載置して本立て等として使用しうるので、十分な収納量が確保される。
【図面の簡単な説明】
【図１】  本発明の袖箱の実施形態を、補助収納箱を取外して示す斜視図である。
【図２】  同じく、机の天板を上げた際において、補助収納箱をキャビネット本体に取付けて使用する例を示す斜視図である。
【図３】  同じく、天板を下げた際において、キャビネット本体のみを天板下に収容し、補助収納箱を本立てとして天板上に載置した例を示す斜視図である。
【符号の説明】
(１)袖箱
(２)引出し
(３)キャビネット本体
(４)上面板
(５)底板
(６)枠板
(6a)前板
(6b)側板
(6c)背板
(７)補助収納箱
(８)キャスタ
(９)ボルト
(10)仕切杆
(11)取付孔
(12)天板
(13)学習机
(14)棚板
【図１】
0004518686.tif 000002
【図２】
0004518686.tif 000003
【図３】
0004518686.tif 000004